(57)【要約】【課題】左右方向外縁に下方向に延びる側壁部を設けた洗面カウンターであっても、洗面キャビネットに取付ける際に位置決めやズレ防止のために別部材を用意することなく、位置決めやズレ防止のために洗面カウンターの一部として設けた突出部に左右方向から力が加わったとしても突出部が破損することを抑制した洗面カウンターの取付構造を提供することを目的とする。【解決手段】洗面キャビネットと、前記洗面キャビネットの上部に載置される洗面カウンターとを取付けるための洗面カウンターの取付構造において、前記洗面カウンターは、前記洗面カウンターの左右方向における外縁に下方に延びる側壁部を有し、前記洗面キャビネットは、一対の側板と、前記一対の側板の内面と繋がる連結板と、を有し、前記連結板は、前記一対の側板より上部に突出した受け面を有し、前記洗面カウンターの側壁部の内面側には、前記洗面カウンターの一部であり、前記受け面に当接させることが可能な左右方向において前記洗面キャビネットの中央側に延びる突出部を有している。【選択図】図３
2019130081.tif 000002
【特許請求の範囲】
【請求項１】
洗面キャビネットと、前記洗面キャビネットの上部に載置される洗面カウンターとを取付けるための洗面カウンターの取付構造において、
前記洗面カウンターは、前記洗面カウンターの左右方向における外縁に下方に延びる側壁部を有し、
前記洗面キャビネットは、一対の側板と、前記一対の側板の内面と繋がる連結板と、を有し、
前記連結板は、前記一対の側板より上部に突出した受け面を有し、
前記洗面カウンターの側壁部の内面側には、前記洗面カウンターの一部であり、前記受け面に当接させることが可能な、左右方向において前記洗面キャビネットの中央側に延びる突出部を有していることを特徴とする洗面カウンターの取付構造。
【請求項２】
前記突出部の下端は、前記側壁面の下端より上方に設けられている請求項１記載の洗面カウンターの取付構造。
【請求項３】
前記突出部は、前記受け面に対し前後方向に傾斜した状態で当接するように構成されている請求項２記載の洗面カウンターの取付構造。
【発明の詳細な説明】
【技術分野】
【０００１】
本発明の態様は、一般的に、洗面カウンターの取付構造に関する。
【背景技術】
【０００２】
従来、洗面カウンターを洗面キャビネットに取付ける際に、左右方向において洗面カウンターが洗面キャビネットからずれないようにするために、位置決めやズレ防止対策を行っている。この、位置決めやズレ防止対策を行うために、新たに別部材を用意すると別部材を取り付けるための作業が追加で必要となる。
そこで上記問題に対して、別部材を用いることなく、位置決めやズレ防止を行うことができる洗面カウンターの取付構造が知られている。
【０００３】
例えば、特許文献１のように洗面カウンターの下面に下方に延びる突出部を設け、その突出部を洗面キャビネットの側壁の内面に当接させることで左右方向におけるズレ防止をしている構造が知られている。
【０００４】
一方近年、洗面カウンターを薄肉にし、意匠性を向上させた洗面カウンターが求められている。洗面カウンターを薄肉に形成しようとすると、強度確保のため洗面カウンターの左右外縁部には下方向に延びるエプロン状の側壁部を設ける必要が発生する。
【先行技術文献】
【特許文献】
【０００５】
【特許文献１】特開２００５−１２４８０７号公報
【発明の概要】
【発明が解決しようとする課題】
【０００６】
しかしながら、特許文献１のような洗面カウンターの下面に下方に延びる突出部を設けた構造では、突出部を洗面キャビネットの側壁の内面側に当接させるために、洗面カウンターの左右方向外縁部に設けられた側壁部より長く突出部を設けなければならない。
突出部を長く設けようとすると、突出部の根元に係る力が大きくなり、左右方向から加わる力に対する耐力が弱くなり、突出部が破損する虞がある。
【０００７】
本発明は、かかる課題の認識に基づいてなされたものであり、左右方向外縁に下方向に延びる側壁部を設けた洗面カウンターであっても、洗面キャビネットに取付ける際に位置決めやズレ防止のために別部材を用意することなく、位置決めやズレ防止のために洗面カウンターの一部として設けた突出部に左右方向から力が加わったとしても突出部が破損することを抑制した洗面カウンターの取付構造を提供することを目的とする。
【課題を解決するための手段】
【０００８】
前記目的を達成するために構成された本発明によれば、洗面キャビネットと、前記洗面キャビネットの上部に載置される洗面カウンターとを取付けるための洗面カウンターの取付構造において、前記洗面カウンターは、前記洗面カウンターの左右方向における外縁に下方に延びる側壁部を有し、前記洗面キャビネットは、一対の側板と、前記一対の側板の内面と繋がる連結板と、を有し、前記連結板は、前記一対の側板より上部に突出した受け面を有し、前記洗面カウンターの側壁部の内面側には、前記洗面カウンターの一部であり、前記受け面に当接させることが可能な、左右方向において前記洗面キャビネットの中央側に延びる突出部を有していることを特徴としている。
【０００９】
この洗面カウンターの取付構造によれば、一対の側板同士を連結する連結板の側面での一部である受け面に対し、側壁部から左右方向に延びる突出部を当接させることにより左右方向の位置決めが可能となる。
そのため、洗面カウンターと洗面キャビネットとの左右方向における位置決めにおいて、別部材を追加する必要がなく、取り付け作業が容易であるとともに、洗面カウンターの左右方向外縁部に下方向に延びる側壁部を設けたとしても、位置決め及びズレ止めを行うための突出部の長さを短く設けることが可能であるとともに、左右方向から力が加わった場合に位置決めやズレ防止を行う洗面カウンターの一部である突出部の破損を抑制することができる。
また、例えば、洗面キャビネットに対し、異なる洗面カウンターを取付けようとする場合においても、洗面カウンターの突出部の位置・形状を変更するだけで、位置決め及びズレ止めを行うことができる。
【００１０】
本発明において、好ましくは、前記突出部の下端は、前記側壁部の下端より上方に設けられている。
【００１１】
この洗面カウンターの取付構造によれば、突出部が成形の過程で反りが発生し下方に意図せず膨らんでしまった場合においても、突出部の下端は、側壁部の下端より上方に設けているため、突出部の下端が側板の上端に当接することを抑制することができる。
従って、洗面カウンターを洗面キャビネットに取付けた際に、洗面カウンターの側壁部が浮いてしまい、洗面カウンターの意匠性が低下することを抑制することが出来る。
【００１２】
本発明において、好ましくは、さらに、前記突出部は、前記受け面に対し前後方向に傾斜した状態で当接するように構成されている。
【００１３】
この洗面カウンターの取付構造によれば、突出部が受け面に接触する接触面積が大きく確保でき、両者の摩擦抵抗が増加することにより前後のずれも抑制することができる。
【発明の効果】
【００１４】
本発明の態様によれば、一対の側板同士を連結する連結板の側面での一部である受け面に対し、側壁部から左右方向に延びる突出部を当接させることにより左右方向の位置決めが可能となる。
そのため、洗面カウンターと洗面キャビネットとの左右方向における位置決めにおいて、位置決め及びズレ止めのために別部材を追加する必要がなく、取り付け作業が容易であるとともに、洗面カウンターの左右方向外縁部に下方向に延びる側壁部を設けたとしても、位置決め及びズレ止めを行うための突出部の長さを短く設けることが可能であるとともに、左右方向から力が加わった場合に位置決めやズレ防止を行う洗面カウンターの一部である突出部の破損を抑制することができる。
また、例えば、洗面キャビネットに対し、異なる洗面カウンターを取付けようとする場合においても、洗面カウンターの突出部の位置・形状を変更するだけで、位置決め及びズレ止めを行うことができる。
【図面の簡単な説明】
【００１５】
【図１】本発明の実施形態にかかる洗面化粧台の外観斜視図である。
【図２】図１において扉を外した洗面化粧台の外観斜視図である。
【図３】図２に表した切断面Ａ−Ａにおける断面図である。
【図４】図２に表した切断面Ｂ−Ｂにおける断面図である。
【発明を実施するための形態】
【００１６】
以下、本発明の実施形態について図面を参照しつつ説明する。なお、各図面中、同様の構成要素には同一の符号を付して詳細な説明は適宜省略する。
図１は、本発明の実施形態にかかる洗面化粧台の外観斜視図である。
図２は、図１において扉を外した洗面化粧台の外観斜視図である。
【００１７】
図１に示すように、洗面化粧台１の高さ方向をｚ軸方向としている。このｚ軸に直交する平面に沿ってｘ軸及びｙ軸を定義し、洗面化粧台１の奥行き方向に沿った方向をｙ軸方向とし、洗面化粧台１の幅方向（左右方向）に沿った方向をｘ軸方向としている。洗面化粧台１は、洗面カウンター１０と、洗面キャビネット２０と、ミラーキャビネット６０と、を備えている。
【００１８】
洗面キャビネット２０は床上に設置されている。洗面キャビネット２０の上部に洗面カウンター１０が載置されている。洗面キャビネット２０には、幅方向両端に側板２２が一対設けられている。一対の側板２２及び中仕切り板２３（図２参照）に支持されて、扉２１が設けられている。洗面キャビネット２０は、主に木製の板状部材を組み合わせて形成される。
【００１９】
中仕切り板２３は、一対の側板２２の内面同士を連結している。つまり、中仕切り板２３の両側面が夫々側板２２の内面と結合されている。
また、中仕切り板２３は、一対の側板２２の上面より上方まで延びている（図３参照）。すなわち、中仕切り板２３の両側面は、夫々側板２２の内面と当接する当接面と、上方まで突出した受け面２３ａと、を有している。
【００２０】
洗面カウンター１０は、天板部１１と、側壁部１２ａ、１２ｂと、洗面ボウル部１４と、バックガード部１６とを有している。側壁部１２ａは、天板部１１の幅方向両端（外縁）に設けられている。側壁部１２ｂは、天板部１１の前面側端に設けられている。天板部１１は、その上面が天面１１ａとして形成されている。側壁部１２ａ、１２ｂは、天板部１１から天面１１ａとは反対側の第１方向（ｚ軸の負方向）に延びている。洗面ボウル部１４は、一対の天板部１１の間に設けられている。バックガード部１６には、水栓金具４０が取り付けられている。洗面カウンター１０は、樹脂製の材料で形成され、洗面キャビネット２０の上部に載置されるものである。
【００２１】
洗面カウンター１０の上部には、ミラーキャビネット６０が取り付けられている。ミラーキャビネット６０の前面には、３つのミラー付の片開き扉６１が備えられている。ミラーキャビネット６０の内部には空間が形成され、収納空間として利用することができる。
なお、ミラーキャビネット６０は、必ずしも設けられていなくてもよい。
【００２２】
次に、図３乃至図４を用いて、本発明における洗面カウンターの取付構造について説明する。
図３は、図２に表した切断面Ａ−Ａにおける断面図である。
図４は、図２に表した切断面Ｂ−Ｂにおける断面図である。
【００２３】
図３に示すように、洗面カウンター１０は、側壁部１２ａの内面から中仕切り板２３の受け面２３ａに向かう第２方向（ｘ軸の負方向）に延びるリブ１３を有している。
側壁部１２ａの下面は、パッキン５０を介して、側板２２の上面に載置されている。
なお、リブ１３は、左右反対側の側壁部１２ａにも設けられている。
【００２４】
リブ１３は、側壁部１２ａの下端面より上方の位置から受け面２３ａに向かって延びている。具体的には、リブ１３の下端面と、側壁部１２ｃの下端面と、の間には隙間Ｄが設けられている。
また、リブ１３は側壁部１２ａの内面と天板部１１の下面との２面と繋がっている。
【００２５】
さらに、一対の側板２２同士を連結する中仕切り板２３の側面を利用しているため、左右方向の位置決めの際に、複数の部材を取付ける際に取付の誤差や部材単体の公差などの影響を受けにくい。
【００２６】
図４に示すように、リブ１３は、リブ１３の上方から下方に向かって後方（ｙ軸の正方向）に傾斜している。換言すると、リブ１３は下方に向かうにつれて鉛直方向に対し角度Θが設けられている。
そのため、受け面２３ａに対して、前後方向に傾斜した状態で当接する。
【００２７】
以上、説明したように、本実施形態に係る洗面カウンターの取付構造によれば、一対の側板２２同士を連結する中仕切り板２３の側面での一部である受け面２３ａに対し、側壁部２２から左右方向に延びるリブ１３を当接させることにより左右方向の位置決めが可能となる。
そのため、洗面カウンター１０と洗面キャビネット２０との左右方向における位置決めにおいて、位置決めやズレ止めのために別部材を追加する必要がなく取り付け作業が容易であるとともに、洗面カウンター１０の左右方向外縁部に下方向に延びる側壁部１２ａを設けたとしても、左右方向から力が加わった場合に位置決めやズレ防止を行う洗面カウンターの一部であるリブ１３の破損を抑制することができる。
また、例えば、洗面キャビネット２０に対し、異なる洗面カウンターを取付けようとする場合においても、洗面カウンターのリブ１３の位置・形状を変更するだけで、位置決め及びズレ止めを行うことができる。
【００２８】
また、この洗面カウンターの取付構造によれば、リブ１３が成形の過程で反りが発生し下方に意図せず膨らんでしまった場合においても、リブ１３の下端は、側壁部１２ｂの下端より上方に設けているため、リブ１３の下端が側板２２の上端に当接することを抑制することができる。
従って、洗面カウンターを洗面キャビネットに取り付けた際に、洗面カウンターの側壁部１２ａが浮いてしまい、洗面カウンター１０の意匠性が低下することを抑制することが出来る。
【００２９】
さらに、この洗面カウンターの取付構造によれば、リブ１３が受け面２３ａに接触する接触面積が大きく確保でき、両者の摩擦抵抗が増加することにより洗面カウンター１０が洗面キャビネット２０に対し前後にずれることも抑制することができる。
【００３０】
以上、本発明に係る洗面化粧台１の実施の形態について説明したが、本発明はこれらの実施の具体例に限定されるものではない。
これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。
【符号の説明】
【００３１】
１：洗面化粧台
１０：洗面カウンター
１１：天板部
１２ａ、１２ｂ：側壁部
１３：リブ（突出部）
１４：洗面ボウル部
１６：バックガード部
２０：洗面キャビネット
２１：扉
２２：側板
２３：中仕切り板（連結板）
４０：水栓金具
５０：パッキン
６０：ミラーキャビネット
６１：扉
【図１】
2019130081.tif 000003
【図２】
2019130081.tif 000004
【図３】
2019130081.tif 000005
【図４】
2019130081.tif 000006